(57)【特許請求の範囲】
【請求項１】
ベースシート上にアクリル系溶剤型粘着層を介して短繊維層を仮接着させた離型植毛シートと、該離型植毛シートの短繊維層に電子写真複写機によってトナーを該短繊維層の深部まで定着させたトナー画像層と、該トナー画像層を定着させた短繊維層上に少なくとも一層積層され、転写時に短繊維層の隙間に入り込んだトナー画像層に浸透するアクリル酸エステル系樹脂バインダー層と、該バインダー層上に積層されたホットメルト接着剤層とからなることを特徴とする転写シート。
【請求項２】
ベースシート上にアクリル系溶剤型粘着層を介して短繊維層を仮接着させた離型植毛シートと、該離型植毛シートの短繊維層に電子写真複写機によってトナーを該短繊維層の深部まで定着させたトナー画像層と、該トナー画像層を定着させた短繊維層上に積層され、転写時に短繊維層の隙間に入り込んだトナー画像層に浸透する透明のアクリル酸エステル系樹脂バインダー層と、該透明バインダー層上に積層された有色のアクリルウレタン系樹脂層と、該有色樹脂層上に積層されたホットメルト接着剤層とからなることを特徴とする転写シート。
【請求項３】
トナーを用いた電子写真複写機がカラー複写機である請求項１又は２記載の転写シート。
【発明の詳細な説明】
【０００１】
【発明の属する技術分野】
本発明は、トナーを使用する電子写真複写機によってベースシート上に短繊維層を仮接着させた離型植毛シートの該短繊維層に定着させた図柄、模様、写真、文字等のトナー画像を当該短繊維層と共に布地や木製パネル等の被転写体に美しく転写できる転写シートに関するものである。
【０００２】
【従来の技術】
周知の通り、特許第２８４０９１８号公報には、本発明者が発明したベースシート上に離型剤を塗布した離型シート４と、該離型シート４上にトナーを使用する電子写真複写機により定着させたトナー画像層５と、該トナー画像層５上に少なくとも一層積層されたアクリルウレタン樹脂層６と、該アクリルウレタン樹脂層６上に積層されたホットメルト接着剤層７とからなる転写シートが開示されている。
【０００３】
前出公報に開示される転写シートにおいては、トナーを使用する電子写真複写機によって離型シート上にトナー画像層を定着させるため、スクリーン印刷、オフセット印刷、グラビア印刷等によって画像（図柄模様、文字等−以下、同じ−）層を形成する場合に比べて製版工程や専門的な印刷技術を必要とせず、製造コストが非常に安くつくという利点がある。
【０００４】
ところで、市販の転写シートには、前出公報に開示される転写シートのように離型シート上に画像層が形成されたもの以外に、ベースシート上に粘着剤層を介して短繊維層を仮接着させた離型植毛シートの該短繊維層に画像層が形成された転写シートがある。
【０００５】
例えば、特開平５−１７７９９６号公報には、離型性処理を施した紙又は合成樹脂フイルム等の離型性基材１に図柄状感熱型接着剤層２を仮着し、該図柄状感熱型接着剤層２の上面に強力な接着力並びに伸縮性を有する図柄状接着層５を設け、更に図柄状接着層５に綿・レーヨン・ナイロン系・アクリル系・ポリエステル系等の短繊維３を植毛固着して図柄模様の植毛層４を形成し、更に植毛層４の上部に接着剤を介して金属粉、箔片、合成樹脂粒子、着色ガラス等の装飾用微細部材１５を設け、又更に加熱による温度上昇時に粘着性が全くなくなるマスキング用粘着テープ６を図柄模様の装飾用微細部材１５を設けた植毛層４の上端面部７に貼付させた熱転写式アップリケが開示されている。
【０００６】
また、実開平３−１０６３９６号公報には、ベースシートと、そのベースシート上に設けられた短繊維仮保持層と、その短繊維仮保持層に植毛形成された短繊維層と、短繊維層上の部分に形成された短繊維被覆層と、その短繊維被覆層上に形成された異種表面材層と、短繊維層のうち短繊維被覆層が形成されない部分及び異種表面材層上に形成された図柄模様接着保持層と、その図柄模様接着保持層上に形成されたホットメルト性接着層とを備えてなり、前記短繊維仮保持層は、短繊維層を構成する短繊維に対し剥離性を有しベースシートに対し接着性を有するものであり、前記短繊維被覆層は、異種表面材層に対し離型性を有し短繊維仮保持層に対し接着性を有する熱転写シートが開示されている。
【０００７】
しかし、市販の離型植毛シートの短繊維層に画像層が形成された転写シートは、トナーを使用する電子写真複写機により定着されたトナー画像層ではなく、スクリーン印刷によって画像を形成したものであり、前出特開平５−１７７９９６号公報に開示される熱転写式アップリケや前出実開平３−１０６３９６号公報に開示される熱転写シートにおいても、当該各公報に記載されているとおり、いずれもスクリーン印刷によって図柄模様（画像）が形成されている。
【０００８】
【発明が解決しようとする課題】
本発明者は、前出特許第２８４０９１８号公報に開示された転写シートと同様に、離型植毛シートを使用した転写シートにトナーを使用する電子写真複写機によって離型植毛シートの短繊維層にトナー画像層を定着させることを試み、提案（特願平１１−９８３４７号）したが、市販されている離型植毛シートにトナーを使用する電子写真複写機によってトナー画像層を定着させる場合には、当該離型植毛シートの短繊維層の深部までトナーが入っていかないために短繊維層と共に転写されたトナー画像が鮮明さに欠け、また、転写時に短繊維層が部分的にベースシート側に残存するという問題が発生した。
【０００９】
本発明者は、前記問題点を解決することを技術的課題とし、前記問題が発生する原因を究明すべく、数多くの試験・研究を重ねた結果、先ず、市販されている離型植毛シートは電子写真複写機によってトナー画像層を定着させる場合の通電性が悪いことが原因で短繊維層の深部までトナーが入っていかないことを突き止めた。そして、離型植毛シートに最適な通電性のよい粘着剤を得るべく、更なる試験・研究を重ねたところ、離型植毛シートにアクリル系溶剤型粘着剤を使用すれば該離型植毛シート自体の通電性が良くなり、当該離型植毛シートの短繊維層の深部までトナーが入り込み、トナー画像層を充分に定着させて鮮明な画像が形成できるという知見を得た。
【００１０】
次に、ベースシート上にアクリル系溶剤型粘着層を介して短繊維層を仮接着させた離型植毛シートを用いることによってトナー画像層を充分に定着させて鮮明な画像を形成させることができたので、当該トナー画像層を定着させた短繊維層上に、前出特許第２８４０９１８号公報に開示された転写シートに倣い、アクリルウレタン樹脂層を設け、その上にホットメルト接着剤層を積層して転写シートを製作し、当該転写シートを用いて被転写体（布地）に加熱・圧着による転写試験を数多く行ったところ、短繊維層が部分的にベースシート側に残存してしまう場合があり、残念ながら前記技術的課題を達成するに至らなかった。
【００１１】
そこで、本発明者は、短繊維層をベースシート側に残すことなく完全に被転写体に転写できる樹脂層を得るべく、試行錯誤的な試験・研究を重ねたところ、前記アクリルウレタン樹脂層に代えてアクリル酸エステル系樹脂層を設け、その上にホットメルト接着剤層を積層した場合には、加熱・圧着時に当該アクリル酸エステル系樹脂が短繊維層を形成している各短繊維に絡まってバインダーとして作用し、短繊維層を仮接着しているアクリル系溶剤型粘着層の接着力に打ち勝ち、当該短繊維層をベースシート側に残すことなく被転写体に転写できるという知見を得た。
【００１２】
本発明者は、前記各知見に基づき前記技術的課題を達成したものである。
【００１３】
【課題を解決するための手段】
前記技術的課題は、次の通りの本発明によって解決できる。
【００１４】
即ち、本発明に係る転写シートは、ベースシート上にアクリル系溶剤型粘着層を介して短繊維層を仮接着させた離型植毛シートと、該離型植毛シートの短繊維層に電子写真複写機によってトナーを該短繊維層の深部まで定着させたトナー画像層と、該トナー画像層を定着させた短繊維層上に少なくとも一層積層され、転写時に短繊維層の隙間に入り込んだトナー画像層に浸透するアクリル酸エステル系樹脂バインダー層と、該バインダー層上に積層されたホットメルト接着剤層とからなるものである。
【００１５】
また、本発明に係る転写シートは、ベースシート上にアクリル系溶剤型粘着層を介して短繊維層を仮接着させた離型植毛シートと、該離型植毛シートの短繊維層に電子写真複写機によってトナーを該短繊維層の深部まで定着させたトナー画像層と、該トナー画像層を定着させた短繊維層上に積層され、転写時に短繊維層の隙間に入り込んだトナー画像層に浸透する透明のアクリル酸エステル系樹脂バインダー層と、該透明バインダー層上に積層された有色のアクリルウレタン系樹脂層と、該有色樹脂層上に積層されたホットメルト接着剤層とからなるものである。
【００１６】
また、本発明は、前記いずれかの転写シートにおいて、トナーを用いた電子写真複写機がカラー複写機であるものである。
【００１７】
【発明の実施の形態】
以下、本発明の実施の形態を図面に基づき説明する。
【００１８】
実施の形態１．
【００１９】
図１は本実施の形態に係る転写シートを模型的に示した縦断面図であり、図２は図１に示す転写シートの製造工程を模型的に示した縦断面説明図であり、図３は図１に示す転写シートを被転写体に転写する方法を示した縦断面説明図であり、これらの図において、１は、ベースシート２上にアクリル系溶剤型粘着剤層３を介して短繊維層４が仮接着された離型植毛シート５（図２の（ａ）参照）と、該離型植毛シート５の短繊維層４にトナーを使用する電子写真複写機（以下、単に「電子写真複写機」という。）により定着させたトナー画像層６と、該トナー画像層６を定着させた短繊維層４上に積層された透明のアクリル酸エステル系樹脂バインダー層７と、該透明バインダー層７上に積層されたホットメルト接着剤層８とからなる転写シートである。
【００２０】
前記離型植毛シート５は、紙や樹脂フィルム等からなるベースシート２と、該ベースシート２上にアクリル系溶剤型粘着剤を塗布して積層された粘着剤層３と、該粘着剤層３上にナイロン、ポリエステル、アクリル及びレーヨン等から選ばれる短繊維９を植毛仮接着して形成された短繊維層４とから構成されており、市販もされている。
【００２１】
なお、アクリル系溶剤型粘着剤層３としては、市販品が使用でき、具体的にはリンテックMF5 （商品名：リンテック株式会社製）やアプリケーション１（商品名：リンテック株式会社製）などが好適である。
【００２２】
前記トナー画像層６は、周知の電子写真複写機、好ましくはカラー複写機を用いて、図柄、模様、写真、文字等が描かれた原図をコピーすることによって形成する。
【００２３】
前記透明のアクリル酸エステル系樹脂バインダー層７としては、市販品が使用でき、具体的にNKバインダーAS-50 （商品名：新中村化学工業株式会社製）やディクセル（商品名：大日本インキ化学工業株式会社製）などが好適である。
【００２４】
前記ホットメルト接着剤層８としては、従来の転写シートに用いられている市販品のポリエステル、ナイロン、ウレタン等を主剤とするホットメルトタイプの接着剤が使用でき、具体的には、ダイアミド（商品名：ダイセル化学株式会社製：ポリエステルを主剤とするホットメルト接着剤）やプラタミド（商品名：リルサン株式会社製：ナイロンを主剤とするホットメルト接着剤）などが好適である。
【００２５】
次に、本実施の形態に係る転写シート１の製造方法を図２に基づいて説明する。
【００２６】
先ず、図２の（ａ）に示すように、ベースシート２上にアクリル系溶剤型粘着剤を塗布して粘着剤層３を積層した後、該粘着剤層３上に短繊維９を植毛仮接着して短繊維層４を形成した離型植毛シート５を得る。次に、図２の（ｂ）に示すように、離型植毛シート５の短繊維層４に図柄、模様、写真、文字等の原図を電子写真複写機によりコピーしてトナー画像層６を定着させる。続いて、図２の（ｃ）に示すように、トナー画像層６を定着させた短繊維層４上に透明のアクリル酸エステル系樹脂バインダー層７をスクリーン印刷により積層する。最後に、図２の（ｄ）に示すように、透明バインダー層７上にホットメルト接着剤層８をスクリーン印刷により積層することで転写シート１を得ることができる。
【００２７】
本実施の形態に係る転写シート１においては、離型植毛シート５における粘着剤層３に従来使用されていた粘着剤に比べて通電性の良いアクリル系溶剤型粘着剤を使用したので、離型植毛シート５に電子写真複写機によってトナー画像層６を定着させる際に、離型植毛シート５がトナーを強く吸着するため、当該トナーが離型植毛シート５の短繊維層４の深部まで入り込み、トナー画像層６を充分に定着させて鮮明な画像が形成できる。
【００２８】
また、トナー画像層６が定着された短繊維層４上に透明のアクリル酸エステル系樹脂バインダー層７を積層させることで、転写時（加熱・圧着時）に透明バインダー層７が短繊維層４を形成する各短繊維９に絡まると共に、当該各短繊維９の隙間に入り込んだトナー画像層６に浸透するため、離型植毛シート５に仮接着された短繊維層４及び該短繊維層４に定着されたトナー画像層６をベースシート２側に残すことなく被転写体に転写することができる。
【００２９】
次に、本実施の形態に係る転写シート１の転写方法を図３に基づいて説明する。
【００３０】
先ず、図３の（ａ）に示すように、転写シート１のホットメルト接着剤層８が積層された面を布地や木製パネル等の被転写体１０に密着させた状態で、加熱圧着機により転写シート１を被転写体１０に向けて所定時間、所定温度にて加熱・加圧し、ホットメルト接着剤を溶解させて被転写体１０上に転写シート１を接着させる。なお、転写シート１を加熱・加圧することで、透明バインダー層７が短繊維層４を形成する各短繊維９の隙間の奥にまで入り込んで該短繊維９に強固に絡みつくと共に、トナー画像層６に浸透して該トナー画像層６をより安定させる。
【００３１】
次に、図３の（ｂ）に示すように、被転写体１０に接着させた転写シート１からベースシート２を剥がすと、粘着剤層３が短繊維層４及びトナー画像層６を仮接着する力に比べて透明バインダー層７が該短繊維層４及びトナー画像層６を接着する力の方が強いため、当該短繊維層４及びトナー画像層６が粘着剤層３から離れて透明バインダー層７に移り、被転写体１０にトナー画像が転写される。
【００３２】
実施の形態２．
【００３３】
図４は本実施の形態に係る転写シートを模型的に示した縦断面図であり、この図において、図１〜図３と同一符号は同一又は相当部分を示しており、１１は、ベースシート２上にアクリル溶剤型粘着剤層３を介して短繊維層４が仮接着された離型植毛シート５と、該離型植毛シート５の短繊維層４に電子写真複写機によって定着させたトナー画像層６と、該トナー画像層６を定着させた短繊維層４上に積層された透明のアクリル酸エステル系樹脂バインダー層７と、該透明バインダー層７上に積層された有色のアクリルウレタン系樹脂層１２と、該有色樹脂層１２上に積層されたホットメルト接着剤層８とからなる転写シートである。
【００３４】
前記有色のアクリルウレタン系樹脂層１２としては、市販品が使用でき、具体的にはRYUDYE-W・BINDER-UF-701TL （商品名：大日本インキ化学工業株式会社製）とニューコートK2（商品名：新中村化学工業株式会社製）との混合物に有色顔料（例えば、白色チタン粉末顔料）を添加して着色したものが好適である。なお、当該有色樹脂層１２の色は被転写体１０の色彩及びトナー画像の色彩を考慮して適宜選択すればよい。
【００３５】
本実施の形態に係る転写シート１１においては、透明バインダー層７とホットメルト接着剤層８との間に有色樹脂層１２を積層させたので、転写後においてトナー画像層６が有色樹脂層１２の上に積層されるため、当該有色樹脂層１２の存在によりトナー画像層６は被転写体１０の色彩の影響を受けることがない。
【００３６】
また、トナー画像層６と有色樹脂層１２との間に透明バインダー層７が積層されているので、透明バインダー層７の存在により有色樹脂層１２がトナー画像層６へ浸透して該トナー画像層６の色彩と該有色樹脂層１２の色彩とが混在することを防止でき、転写後においてより鮮明な色彩のトナー画像を得ることができる。
【００３７】
なお、トナー画像層６上に透明バインダー層７を介して該トナー画像層６よりも幅広の有色樹脂層１２を積層すれば、転写後においてトナー画像に有色樹脂による輪郭を形成することができる。
【００３８】
【実施例】
実施例．
【００３９】
先ず、ベースシート２として厚さ約１００μのポリエステルフィルム（リンテックPET75 ：商品名：リンテック株式会社製）を用意し、該ポリエステルフィルム上にアクリル系溶剤型粘着剤（リンテックMF5 ：商品名：リンテック株式会社製）を塗布して厚さ約２０μの粘着剤層３を積層した後、該粘着剤層３上に太さ１デニールの白色半透明レーヨンパイル（株式会社金原パイル工業製）を植毛仮接着して厚さ約４００μの短繊維層４を形成した離型植毛シート５を得た。
【００４０】
次に、離型植毛シート５の短繊維層４にカラーコピー機イマジオカラー４０００（商品名：リコー株式会社製）によりコピートナー赤色（品番：63-6209 ：リコー株式会社製）、同黄色（品番：63-6208 ：リコー株式会社製）、同青色（品番：63-6210 ：リコー株式会社製）及び同黒色（品番：63-6207 ：リコー株式会社製）を使用し、赤色、黄色、青色及び黒色に彩色された正方形の図柄が描かれた原図をコピーし、厚さ約１０μのトナー画像層６を定着させた。
【００４１】
次に、短繊維層４に定着させたトナー画像層６上に透明のアクリル酸エステル系樹脂バインダー（NKバインダ− AS-50：商品名：新中村化学工業株式会社製）をスクリーン印刷によりコピーした図柄（正方形）に一致させて塗布することによって厚さ約２０μの透明バインダー層７を積層し、該透明バインダー層７上にアクリル共重合体樹脂（ニューコートK-2 ：商品名：新中村化学工業株式会社製）とウレタン樹脂（RYUDYE-W・BINDER-UF-701TL ：商品名：大日本インキ化学工業株式会社）と白色チタン粉末顔料とを重量比４５：４５：１０で混合したものをスクリーン印刷によりコピーした図柄（正方形）よりも若干幅巾に塗布することによって厚さ約５０μの白色樹脂層１２を積層した後、該白色樹脂層１２上にポリエステルホットメルト接着剤（ダイアミド：商品名：ダイセル化学株式会社製）をスクリーン印刷により当該白色樹脂層１２の形状に一致させて塗布することによって厚さ５０μのホットメルト接着剤層８を積層して転写シート１１（図４参照）を得た。
【００４２】
続いて、前記転写シート１１のホットメルト接着剤層８が形成された面を被転写体１０である綿布地１３に密着させた状態で、圧着機（三英株式会社製：品番：SC-FA-4500）を使用して温度１５５℃・圧力２００g/cm2 の条件下で１５秒間加熱・加圧した後、ベースシート２を剥がすと、ホットメルト接着剤層８に対応する部分の短繊維層４が粘着剤層３から離れ、図５に示すように、綿布地１３に白色樹脂で縁取りされた前記正方形の図柄を転写することができた。なお、短繊維層４が離れた部分の粘着剤層３表面を目視にて観察したが、短繊維９は残存していなかった。
【００４３】
また、前記正方形の図柄が転写されている綿布地１３の堅ろう度は、洗たく：JIS L 0844-A-3号：４〜５級、摩擦：JIS L 0849- 試験機ll形・乾燥：５級、ドライクリーニング：JIS L 0860・石油系：５級であった。
【００４４】
【発明の効果】
本発明によれば、トナーを使用する電子写真複写機によって離型植毛シートの短繊維層の深部までトナーを入り込ませ、トナー画像層を充分に定着させた鮮明な画像が形成できると共に該短繊維層をベースシート側に残すことなく被転写体に転写できるため、スクリーン印刷、オフセット印刷、グラビア印刷等によって画像層を形成する場合に比べて製版工程や専門的な印刷技術を必要とせず、製造コストが非常に安くつき、また、カラー複写機を使用することによってコンピュータとの連結が可能であるから、コピーされる原図の図柄、模様、写真、文字等の色彩を変更したトナー画像やグラデーション効果を付与したトナー画像が容易に形成できる。
【００４５】
従って、本発明の産業上利用性は非常に高いといえる。
【図面の簡単な説明】
【図１】本実施の形態に係る転写シートを模型的に示した縦断面図である。
【図２】図１に示す転写シートの製造工程を模型的に示した縦断面説明図である。
【図３】図１に示す転写シートを被転写体に転写する方法を示した縦断面説明図である。
【図４】本実施の形態に係る転写シートを模型的に示した縦断面図である。
【図５】被転写体である布地に転写された図柄を示した斜視図である。
【符号の説明】
１，１１  転写シート
２  ベースシート
３  アクリル系溶剤型粘着剤層
４  短繊維層
５  離型植毛シート
６  トナー画像層
７  透明のアクリル酸エステル系樹脂バインダー層
８  ホットメルト接着剤層
９  短繊維
１０  被転写体
１２  有色のアクリルウレタン系樹脂層
１３  布地
【図１】
0003806833.tif 000002
【図２】
0003806833.tif 000003
【図３】
0003806833.tif 000004
【図４】
0003806833.tif 000005
【図５】
0003806833.tif 000006